(57)【要約】【課題】脱穀機の選別装置において、チャフシーブを２段とし選別能力を向上させたものでありながら、選別装置全体の上下幅が大きくなるのを防止する。【解決手段】扱室（１）の受網（３）から落下した処理物を選別する複数のフィンで構成された第１チャフシーブ（１７）と、その下方に位置して第１チャフシーブ（１７）で選別された処理物を選別する複数のフィンで構成された第２チャフシーブ（１８）と、その下方に位置して第２チャフシーブ（１８）で選別された処理物を選別するグレンシーブ（１９）とを備え、第１チャフシーブ（１７）とグレンシーブ（１９）の間隔（Ｈ１）が、処理物移送方向の上手側が広く、下手側が狭くなるように構成すると共に、第２チャフシーブ（１８）とグレンシーブ（１９）の間隔（Ｈ２）が、処理物移送方向の上手側と下手側が略同一となるように構成した。【選択図】図１
2005143373.tif 000002
【特許請求の範囲】
【請求項１】
扱室（１）の受網（３）から落下した処理物を選別する複数のフィンで構成された第１チャフシーブ（１７）と、その下方に位置して第１チャフシーブ（１７）で選別された処理物を選別する複数のフィンで構成された第２チャフシーブ（１８）と、その下方に位置して第２チャフシーブ（１８）で選別された処理物を選別するグレンシーブ（１９）とを備え、第１チャフシーブ（１７）とグレンシーブ（１９）の間隔（Ｈ１）が、処理物移送方向の上手側が広く、下手側が狭くなるように構成すると共に、第２チャフシーブ（１８）とグレンシーブ（１９）の間隔（Ｈ２）が、処理物移送方向の上手側と下手側が略同一となるように構成したことを特徴とする脱穀機の選別装置。
【請求項２】
前記グレンシーブ（１９）の下方に１番ラセン（１３）を、１番ラセン（１３）の後方に２番ラセン（１５）を、２番ラセン（１５）の上方に２番物を選別するストローラック（２０）を設けると共に、第１チャフシーブ（１７）及び第２チャフシーブ（１８）を、各々の後端がストローラック（２０）の始端部上方に臨むよう配設し、第１チャフシーブ（１７）及び第２チャフシーブ（１８）の後端から落下する２番物をストローラック（２０）で選別するようにしたことを特徴とする請求項１記載の脱穀機の選別装置。
【発明の詳細な説明】
【技術分野】
【０００１】
本発明は、コンバインやハーベスタ等に利用できる脱穀機の選別装置に関する。
【背景技術】
【０００２】
一般に、扱室の受網から落下した処理物を粗選別する複数のフィンで構成されたチャフシーブと、その下方にチャフシーブから落下した処理物を精選別するグレンシーブとを備えた脱穀機の揺動選別装置が知られているが、このものはチャフシーブが１段だけである為、大型のコンバインになると選別する処理物量が多くなり選別能力が不足し、選別精度が悪くなる問題があった。
そこで、チャフシーブを２段とし選別能力を向上させた技術は、既に知られている（例えば、特許文献１参照。）。
【特許文献１】特公平６−２６４９３号公報
【発明の開示】
【発明が解決しようとする課題】
【０００３】
しかし、上記のものは選別能力は向上するが、揺動選別体全体の上下幅が大きくなるという欠点があった。
本発明の課題は、上記従来の欠点を改善する点にある。
【課題を解決するための手段】
【０００４】
上記課題を解決するため、本発明においては、扱室の受網から落下した処理物を選別する複数のフィンで構成された第１チャフシーブと、その下方に位置して第１チャフシーブで選別された処理物を選別する複数のフィンで構成された第２チャフシーブと、その下方に位置して第２チャフシーブで選別された処理物を選別するグレンシーブとを備え、第１チャフシーブとグレンシーブの間隔が、処理物移送方向の上手側が広く、下手側が狭くなるように構成すると共に、第２チャフシーブとグレンシーブの間隔が、処理物移送方向の上手側と下手側が略同一となるように構成したことを第１の特徴とする。
また、前記グレンシーブの下方に１番ラセンを、１番ラセンの後方に２番ラセンを、２番ラセンの上方に２番物を選別するストローラックを設けると共に、第１チャフシーブ及び第２チャフシーブを、各々の後端がストローラックの始端部上方に臨むよう配設し、第１チャフシーブ及び第２チャフシーブの後端から落下する２番物をストローラックで選別するようにしたことを第２の特徴とする。
【発明の効果】
【０００５】
第１チャフシーブとグレンシーブの間隔が、処理物移送方向の上手側が広く、下手側が狭くなるように構成すると共に、第２チャフシーブとグレンシーブの間隔が、処理物移送方向の上手側と下手側が略同一となるように構成したので、揺動選別体上の処理物量が多い処理物移送方向の上手側において、第１チャフシーブとグレンシーブの間隔を広くし、チャフシーブから落下する処理物を十分に風選する選別空間を確保しつつ、第１チャフシーブ終端の高さを下げることで選別装置全体の高さを抑えることができると共に、第２チャフシーブとグレンシーブの終端の間隔が、例えば第２チャフシーブとグレンシーブの間隔が上手側より下手側が狭くなったものと比較して広くできるので、一番流板に沿って後方へ流れる選別風の吹き抜けがよく選別が良い。
【発明を実施するための最良の形態】
【０００６】
図１は本発明を応用した脱穀機の側面図であり、該脱穀機は、扱室１内に回動自在に支持され刈取穀稈を脱穀処理する扱胴２と、脱穀された穀粒に屑、切れ藁等が含まれた扱降し物（処理物）を漏下する受網３とが設けられている。扱室１の下方には、この扱胴２による脱穀後の処理物から穀粒を選別する選別装置４が設けられている。扱室１の側方には、刈取穀稈を扱胴２に沿って搬送するフィードチェーン５が設けられており、その後方には脱穀済みの穀稈を後方へ搬送する排藁搬送チェーン６が設けられている。
【０００７】
上記選別装置４内には、選別風を起風する唐箕ファン７と、藁屑等の塵芥を強制排出する排塵ファン８とが前後に設置されており、唐箕ファン７と排塵ファン８により形成される選別風路中に、受網３によって漏下された処理物を揺動選別する揺動選別体９が前後方向に揺動可能に装架されている。またその下方に揺動選別体９によって選別された１番物を収容する１番収容部１０及び、その後方に配置された二番物を収容する２番収容部１１が設けられている。
【０００８】
さらに選別装置４内には、１番物を１番収容部１０へ案内する１番流板１２、１番物を１番収容部１０の端部まで横搬送する１番ラセン１３、２番物を２番収容部１１へ案内する２番流板１４、２番物を２番収容部１１の端部まで横搬送する２番ラセン１５及び、１番収容部１０と２番収容部１１との間に揺動選別体９側に向けて下方から副選別風を送風する送風ファン４１等が設けられている。
【０００９】
上記揺動選別体９は、受網３より漏下された処理物を揺動により後方に移送する揺動流板１６と、該揺動流板１６の後方に配置され、揺動流板１６により移送された処理物を漏下する第１チャフシーブ１７とが設けられている。また該第１チャフシーブ１７の下方には第２チャフシーブ１８が設けられ、該第２チャフシーブ１８の下方に網状のグレンシーブ１９が張設されている。
【００１０】
さらにグレンシーブ１９の後方で１番流板１２の上端には、後方に向かって延出するストローラック２０が設けられ、また、第１チャフシーブ１７及び第２チャフシーブ１８の後端にはそれぞれストローラック２１，２２が設けられており、揺動選別体９は、上記揺動流板１６、第１チャフシーブ１７、第２チャフシーブ１８、グレンシーブ１９及び、ストローラック２０，２１，２２等が一体的に枠組み形成されている。
【００１１】
前記揺動選別体９は第１チャフシーブ１７とグレンシーブ１９の間隔Ｈ１が、側面視において処理物移送方向の上手側（前側）が広く、下手側（後側）が狭くなるように設定されると共に、第２チャフシーブ１８とグレンシーブ１９の間隔Ｈ２が、処理物移送方向の上手側（前側）と下手側（後側）が略同一となるように設定されている。そして処理物移送方向において第１チャフシーブ１７の後端が一番流板１２の上端部と略同位置まで延長され、また第２チャフシーブ１８の後端が１番流板１２の上端部より若干後方位置まで延長され、両チャフシーブ１７，１８の後端がストローラック２０の始端部上方に臨むように設定されている。
【００１２】
図２はチャフシーブ駆動機構を示す側面図であり、図３はその正断面図である。
第１チャフシーブ１７及び第２チャフシーブ１８のフィンの傾斜角度は、揺動選別体９上に溜まっている処理物量に応じて自動的に変更調節され、処理物量が多い時はフィンの傾斜角度が大きく（選別処理能力が大きく）なり、処理物量が少ない時はフィンの傾斜角度が小さく（選別処理能力が小さく）なるように構成されている。
【００１３】
即ち第１チャフシーブ１７及び第２チャフシーブ１８はそれぞれ固定フィン２３及び複数の可動フィン群２４で構成されており、可動フィン群２４は、駆動フィン２５と複数の従動フィン２６が下端を連結杆２７で連結され構成されており、駆動フィン２５が上端に固着された回動支点軸２８を中心として揺動すると、複数の従動フィン２６が連結杆２７を介して連動して同様に上端の回動支点軸２８を中心として揺動する。それぞれの駆動フィン２５の回動支点軸２８には、先端にローラー２９を回動自在に設けた作動部材３０の基端部が固着されると共に、前記ローラー２９がスプリング３２でカムプレート３１側へ付勢され、カムプレート３１の外周に接当するように構成されている。３３は正逆転駆動によりカムプレート３１を前後スライド移動させる電動モーターであり、揺動選別体９上の処理物量に応じて電動モーター３３が駆動制御され、カムプレート３１が前後スライド移動すると、カムプレート３１の外周の凹凸部によりそれぞれの作動部材３０が揺動せしめられ可動フィン群２４の傾斜角度が変更されるように構成されている。
【００１４】
図４は第１チャフシーブ１７と第２チャフシーブ１８のフィン開度（フィン傾斜角度）と揺動選別体上の処理物量との関係を示すグラフであり、第２チャフシーブ１８は第１チャフシーブ１７より開度が小さく（傾斜角度が小さく）設定されている。具体的には第２チャフシーブ開度を第１チャフシーブ開度の７０％程度とし、常に第２チャフシーブ１８のフィン開度が第１チャフシーブ１７のフィン開度の７０％になった状態でそれぞれのフィン開度が変更調節される構成となっている。これにより両チャフシーブ１７，１８上での処理物の層厚が略同一となり、常に安定した選別ができる。
【００１５】
一方前述の唐箕ファン７は、脱穀機側に設けられたファンケース３４内に収容されており、揺動流板１６より下側に位置し、且つ両チャフシーブ１７，１８及びグレンシーブ１９の前方側に位置している。そしてファンケース３４の後方には選別風の送風口３５が開口して設けられている。このとき送風口３５は、両チャフシーブ１７，１８より下側に位置している。
【００１６】
そして送風口３５の外側には、送風口３５からの選別風を両チャフシーブ１７，１８及びグレンシーブ１９側に案内する案内部がファンケース３４に連続するように設けられている。このとき案内部内には、第１チャフシーブ１７の下方に選別風を案内する第１チャフシーブ送風路と、第２チャフシーブ１８の下方に選別風を案内する第２チャフシーブ送風路と、グレンシーブ１９の下方に選別風を案内するグレンシーブ送風路とが２つの仕切り部３６，３７によって仕切られて形成されている。
【００１７】
なお前述の唐箕ファン７は左側面視（図１）において反時計回りに回転し、選別風は送風口３５から排風される。一方上記案内部の上部壁を、先端がファンケース３４の送風口に一体的に固定された固定壁３８と、後端が揺動選別体９に固定され、揺動選別体９と一体的に揺動する可動壁３９とに分割して構成し、第１チャフシーブ送風路における選別風の案内面を固定壁３８の内面と、可動壁３９の内面とにより円弧状の一連の案内面としている。
【００１８】
このとき可動壁３９の内面の後端位置と第１チャフシーブ１７の位置とは、揺動選別体９が揺動しても常に一定であるため、これにより揺動選別体９が揺動しても、可動壁３９の内面によって選別風は第１チャフシーブ１７の下方側に確実に送風され、揺動選別体９の揺動に伴う選別風の吹き付け位置の変動が防止され、選別のバラツキが防止される。
【００１９】
以上のように受網３で漏下された処理物が揺動流板１６によって後方に移送され、この移送された処理物が第１チャフシーブ１７によって選別漏下されて第２チャフシーブ１８に落下せしめられ、さらに第２チャフシーブ１８によって選別漏下されてグレンシーブ１９に落下せしめられ、グレンシーブ１９によって選別漏下された処理物はグレンシーブ１９の下方に落下せしめられて一番物として一番収容部１０に収容される。
【００２０】
また第１チャフシーブ１７及び第２チャフシーブ１８で漏下されず後方へ移送された処理物は後端のストローラック２１，２２で選別され、ストローラック２１，２２で解され漏下された処理物は下方のストローラック２０上に落下して選別され、グレンシーブ１９で漏下されなかった処理物は後方に移送されストローラック２０で選別され、ストローラック２０より漏下した二番物は二番収容部１１に落下収容せしめられる。よって第１チャフシーブ１７及び第２チャフシーブ１８で処理されなかった処理物がストローラック２０で選別されてから二番収容部１１に収容されるように構成したので選別が良い。
【００２１】
また機体内で発生する藁屑等の塵芥は唐箕ファン７及び排塵ファン８で形成される選別風によって選別風路から連続する排塵風路に沿って誘導され、排塵ファン８で吸引されて排塵口４０から機外に排出される。例えば第１チャフシーブ１７によって漏下された処理物は、第２チャフシーブ１８に到達するまでに、当該処理物に混入する藁屑等の塵芥の一部が、第１チャフシーブ１７の下方に送風される選別風によって排塵口４０側に吹き飛ばされる。
【００２２】
また第２チャフシーブ１８によって漏下された処理物に混入する藁屑等の塵芥の一部や、グレンシーブ１９から落下せしめられる一番物に混入する藁屑等の塵芥も、上記第１チャフシーブ１７の場合と同様に、第２チャフシーブ１８又はグレンシーブ１９の下方に送風される選別風によって、排塵口４０側に吹き飛ばされ、以上により穀粒の選別が行われる。
【００２３】
このとき第１チャフシーブ１７とグレンシーブ１９の間隔Ｈ１が、処理物移送方向の上手側が広く、下手側が狭くなるように構成すると共に、第２チャフシーブ１８とグレンシーブ１９の間隔Ｈ２が、処理物移送方向の上手側と下手側が略同一となるように構成したので、揺動選別体９上の処理物量が多い処理物移送方向の上手側において、第１チャフシーブ１７とグレンシーブ１９の間隔Ｈ１を広くし、チャフシーブ１７，１８から落下する処理物を十分に風選する選別空間を確保しつつ、第１チャフシーブ１７終端の高さを下げることで選別装置全体の高さを抑えることができると共に、第２チャフシーブ１８とグレンシーブ１９の終端の間隔Ｈ２が、例えば第２チャフシーブ１８とグレンシーブ１９の間隔Ｈ２が上手側より下手側が狭くなったものと比較して広くできるので、一番流板１２に沿って後方へ流れる選別風の吹き抜けがよく選別が良い。
また、第１チャフシーブ１７及び第２チャフシーブ１８の後端から落下する２番物をストローラック２０で選別するようにしたので選別が良くなる。
【図面の簡単な説明】
【００２４】
【図１】脱穀機の側面図である。
【図２】チャフシーブ駆動機構を示す側面図である。
【図３】同上正断面図である。
【図４】フィン開度と処理物量との関係を示すグラフである。
【符号の説明】
【００２５】
１  扱室
３  受網
９  揺動選別体
１７  第１チャフシーブ
１８  第２チャフシーブ
１９  グレンシーブ
２０  ストローラック
【図１】
2005143373.tif 000003
【図２】
2005143373.tif 000004
【図３】
2005143373.tif 000005
【図４】
2005143373.tif 000006